(57)【特許請求の範囲】
【請求項１】
サービスデータ伝送方法であって、
第１通信ノードによって、第１サービスタイプの伝送搬送波周波数設定情報を取得し、前記第１サービスタイプの前記伝送搬送波周波数設定情報は、少なくとも１つの第１伝送搬送波周波数識別子を有し、該第１伝送搬送波周波数識別子に対応する伝送搬送波周波数は、前記第１サービスタイプのサービスデータを送信するために使用される、ことと、
前記第１通信ノードによって、第１サービスデータ及び第１識別子を取得し、該第１識別子は、前記第１サービスデータが前記第１サービスタイプに属することを示すために使用され、前記第１識別子は、あて先アドレス識別子によって占有される固定長フィールドの少なくとも１ビットを使用することによって示される、ことと、
前記第１通信ノードによって、前記第１識別子及び前記第１伝送搬送波周波数識別子に基づき、前記第１サービスデータを送信するために使用される第１伝送搬送波周波数を決定することと、
前記第１通信ノードによって、前記第１伝送搬送波周波数で前記第１サービスデータを送信することと
を有し、
前記第１サービスタイプの前記伝送搬送波周波数設定情報は、前記少なくとも１つの第１伝送搬送波周波数識別子に対応する少なくとも１つの第２識別子を更に有し、
前記第１通信ノードによって、前記第１識別子及び前記第１伝送搬送波周波数識別子に基づき、前記第１サービスデータを送信するために使用される第１伝送搬送波周波数を決定することは、
前記第１識別子が前記第２識別子である場合に、前記第１通信ノードによって、前記第２識別子に対応する前記第１伝送搬送波周波数識別子に基づき、前記第１サービスデータを送信するために使用される前記第１伝送搬送波周波数を決定すること
を有する、方法。
【請求項２】
前記第１通信ノードによって、第１サービスデータ及び第１識別子を取得することは、
前記第１通信ノードによって、アクセス層より上のプロトコルレイヤによって前記アクセス層へ伝えられる前記第１サービスデータ及び前記第１識別子を取得すること
を有する、
請求項１に記載の方法。
【請求項３】
前記第１通信ノードによって、前記第１識別子及び前記第１伝送搬送波周波数識別子に基づき、前記第１サービスデータを送信するために使用される第１伝送搬送波周波数を決定することは、
前記第１サービスデータのサービスタイプが前記第１サービスタイプであると前記第１識別子に基づき決定する場合に、前記第１通信ノードによって、前記第１伝送搬送波周波数識別子に基づき、前記第１サービスデータを送信するために使用される前記第１伝送搬送波周波数を決定すること
を有する、
請求項１又は２に記載の方法。
【請求項４】
前記第１サービスタイプの前記伝送搬送波周波数設定情報が少なくとも２つの第１伝送搬送波周波数識別子を有する場合に、
前記第１通信ノードによって、前記第１識別子及び前記第１伝送搬送波周波数識別子に基づき、前記第１サービスデータを送信するために使用される第１伝送搬送波周波数を決定することは、
前記第１通信ノードによって、前記第１サービスデータを送信するために前記少なくとも２つの第１伝送搬送波周波数識別子のうちの１つに対応する伝送搬送波周波数をランダムに選択すること、又は
前記第１通信ノードによって、前記第１サービスデータを送信するために前記少なくとも２つの第１伝送搬送波周波数識別子のうちの１つに対応する伝送搬送波周波数を割り当てるよう基地局に要求すること
を有する、
請求項１乃至３のうちいずれか一項に記載の方法。
【請求項５】
前記第１通信ノードによって、前記第１識別子及び前記第１伝送搬送波周波数識別子に基づき、前記第１サービスデータを送信するために使用される第１伝送搬送波周波数を決定することの前に、当該方法は、
前記第１通信ノードによって、基地局から、システムブロードキャスト情報又は無線リソース制御プロトコルＲＲＣ専用シグナリングを使用することによって前記基地局によって送られる伝送搬送波周波数リスト情報を受けること
を更に有し、
前記伝送搬送波周波数リスト情報は、少なくとも１つの第２伝送搬送波周波数識別子を有し、
前記第１伝送搬送波周波数に対応する前記第１伝送搬送波周波数識別子は、前記伝送搬送波周波数リスト情報に含まれる前記第２伝送搬送波周波数識別子の少なくとも１つである、
請求項１乃至４のうちいずれか一項に記載の方法。
【請求項６】
第１通信ノードによって、第１サービスタイプの伝送搬送波周波数設定情報を取得することは、
前記第１通信ノードによって、基地局のシステムブロードキャスト情報若しくは無線リソース制御プロトコルＲＲＣ専用制御シグナリング又はコアネットワーク制御ノードによって送られる制御情報を受信することによって前記第１サービスタイプの前記伝送搬送波周波数設定情報を取得すること、あるいは、
前記第１通信ノードによって、前もって設定された又は前もって記憶された情報を使用することによって前記第１サービスタイプの前記伝送搬送波周波数設定情報を取得すること、あるいは、
アクセス層より上のプロトコルレイヤの設定情報が前記プロトコルレイヤによって前記アクセス層へ伝えられることによって前記第１サービスタイプの前記伝送搬送波周波数設定情報を取得すること
を有する、
請求項１乃至５のうちいずれか一項に記載の方法。
【請求項７】
前記第１サービスタイプは、安全性関連サービス又は非安全性関連サービスを参照する、
請求項１乃至６のうちいずれか一項に記載の方法。
【請求項８】
前記第１通信ノードによって、前記第１伝送搬送波周波数で前記第１サービスデータを送信することは、
前記第１サービスデータの、前記第１識別子によって示されるサービスタイプが、前記第１サービスタイプでない場合に、前記第１通信ノードによって、前記第１伝送搬送波周波数で前記第１サービスデータを送信することをスキップすること
を更に有する、
請求項１乃至７のうちいずれか一項に記載の方法。
【請求項９】
サービスデータ伝送方法であって、
基地局によって、第１サービスタイプの伝送搬送波周波数設定情報を第１通信ノードへ送ることを有し、
前記第１サービスタイプの前記伝送搬送波周波数設定情報は、少なくとも１つの第１伝送搬送波周波数識別子を有し、該第１伝送搬送波周波数識別子は、前記第１通信ノードによって、該第１通信ノードによって取得される第１サービスデータ及び第１識別子と、前記第１伝送搬送波周波数識別子とに基づき、前記第１サービスデータを送信するために使用される第１伝送搬送波周波数を決定するために使用され、前記第１識別子は、前記第１サービスデータが前記第１サービスタイプに属することを示すために使用され、前記第１識別子は、あて先アドレス識別子によって占有される固定長フィールドの少なくとも１ビットを使用することによって示され、
前記第１サービスタイプの前記伝送搬送波周波数設定情報は、前記少なくとも１つの第１伝送搬送波周波数識別子に対応する少なくとも１つの第２識別子を更に有し、該第２識別子は、前記第１伝送搬送波周波数識別子に対応する伝送搬送波周波数が前記第１サービスタイプのサービスデータの伝送をサポートすることを示すために使用される、
方法。
【請求項１０】
当該方法は、
システムブロードキャスト情報又はＲＲＣ専用シグナリングを使用することによって伝送搬送波周波数リスト情報を前記第１通信ノードへ送ること
を更に有し、
前記伝送搬送波周波数リスト情報は、少なくとも１つの第２伝送搬送波周波数識別子を有し、前記第１伝送搬送波周波数に対応する前記第１伝送搬送波周波数識別子は、前記伝送搬送波周波数リスト情報に含まれる前記第２伝送搬送波周波数識別子の少なくとも１つである、
請求項９に記載の方法。
【請求項１１】
第１通信ノードであって、該第１通信ノードは、
第１サービスタイプの伝送搬送波周波数設定情報を取得するよう構成される取得ユニットであり、前記第１サービスタイプの前記伝送搬送波周波数設定情報は、少なくとも１つの第１伝送搬送波周波数識別子を有し、該第１伝送搬送波周波数識別子に対応する伝送搬送波周波数は、前記第１サービスタイプのサービスデータを送信するために使用され、前記取得ユニットは、第１サービスデータ及び第１識別子を取得するよう更に構成され、前記第１識別子は、前記第１サービスデータが前記第１サービスタイプに属することを示すために使用され、前記第１識別子は、あて先アドレス識別子によって占有される固定長フィールドの少なくとも１ビットを使用することによって示される、前記取得ユニットと、
前記第１識別子及び前記第１伝送搬送波周波数識別子に基づき、前記第１サービスデータを送信するために使用される第１伝送搬送波周波数を決定するよう構成される決定ユニットと、
前記第１伝送搬送波周波数で前記第１サービスデータを送信するよう構成されるデータ送信ユニットと
を有し、
前記第１サービスタイプの前記伝送搬送波周波数設定情報は、前記少なくとも１つの第１伝送搬送波周波数識別子に対応する少なくとも１つの第２識別子を更に有し、
前記決定ユニットは、前記第１識別子が前記第２識別子である場合に、前記第２識別子に対応する前記第１伝送搬送波周波数識別子に基づき、前記第１サービスデータを送信するために使用される前記第１伝送搬送波周波数を決定するよう構成される、
第１通信ノード。
【請求項１２】
前記取得ユニットは、アクセス層より上のプロトコルレイヤによって前記アクセス層へ伝えられる前記第１サービスデータ及び前記第１識別子を取得するよう構成される、
請求項１１に記載の第１通信ノード。
【請求項１３】
前記第１サービスデータが前記第１サービスタイプに属すると前記第１識別子に基づき決定する場合に、前記決定ユニットは、
前記第１伝送搬送波周波数識別子に基づき、前記第１サービスデータを送信するために使用される前記第１伝送搬送波周波数を決定するよう構成される、
請求項１１又は１２に記載の第１通信ノード。
【請求項１４】
前記第１サービスタイプの前記伝送搬送波周波数設定情報が少なくとも２つの第１伝送搬送波周波数識別子を有する場合に、前記決定ユニットは、
前記第１サービスデータを送信するために前記少なくとも２つの第１伝送搬送波周波数識別子のうちの１つに対応する伝送搬送波周波数をランダムに選択するよう、あるいは、
前記第１サービスデータを送信するために前記少なくとも２つの第１伝送搬送波周波数識別子のうちの１つに対応する伝送搬送波周波数を割り当てるよう基地局に要求するよう
構成される、
請求項１１乃至１３のうちいずれか一項に記載の第１通信ノード。
【請求項１５】
前記第１通信ノードは、受信ユニットを更に有し、該受信ユニットは、
基地局から、システムブロードキャスト情報又は無線リソース制御プロトコルＲＲＣ専用シグナリングを使用することによって前記基地局によって送られる伝送搬送波周波数リスト情報を受けるよう構成され、
前記伝送搬送波周波数リスト情報は、少なくとも１つの第２伝送搬送波周波数識別子を有し、
前記第１伝送搬送波周波数に対応する前記第１伝送搬送波周波数識別子は、前記伝送搬送波周波数リスト情報に含まれる前記第２伝送搬送波周波数識別子の少なくとも１つである、
請求項１１乃至１４のうちいずれか一項に記載の第１通信ノード。
【請求項１６】
前記取得ユニットは、
基地局のシステムブロードキャスト情報若しくは無線リソース制御プロトコルＲＲＣ専用制御シグナリング又はコアネットワーク制御ノードによって送られる制御情報を受信することによって前記第１サービスタイプの前記伝送搬送波周波数設定情報を取得するよう、あるいは、
前もって設定された又は前もって記憶された情報を使用することによって前記第１サービスタイプの前記伝送搬送波周波数設定情報を取得するよう、あるいは、
アクセス層より上のプロトコルレイヤの設定情報が前記プロトコルレイヤによって前記アクセス層へ伝えられることによって前記第１サービスタイプの前記伝送搬送波周波数設定情報を取得するよう
更に構成される、
請求項１１乃至１５のうちいずれか一項に記載の第１通信ノード。
【請求項１７】
前記第１サービスデータは、安全性関連サービス又は非安全性関連サービスである、
請求項１１乃至１６のうちいずれか一項に記載の第１通信ノード。
【請求項１８】
前記第１サービスデータの、前記第１識別子によって示されるサービスタイプが、前記第１サービスタイプでない場合に、前記データ送信ユニットは、前記第１伝送搬送波周波数で前記第１サービスデータを送信しない、
請求項１１乃至１７のうちいずれか一項に記載の第１通信ノード。
【請求項１９】
基地局であって、該基地局は、
第１サービスタイプの伝送搬送波周波数設定情報を第１通信ノードへ送るよう構成される送信ユニットを有し、
前記第１サービスタイプの前記伝送搬送波周波数設定情報は、少なくとも１つの第１伝送搬送波周波数識別子を有し、該第１伝送搬送波周波数識別子は、前記第１通信ノードによって、該第１通信ノードによって取得される第１サービスデータ及び第１識別子と、前記第１伝送搬送波周波数識別子とに基づき、前記第１サービスデータを送信するために使用される第１伝送搬送波周波数を決定するために使用され、前記第１識別子は、前記第１サービスデータが前記第１サービスタイプに属することを示すために使用され、前記第１識別子は、あて先アドレス識別子によって占有される固定長フィールドの少なくとも１ビットを使用することによって示され、
前記第１サービスタイプの前記伝送搬送波周波数設定情報は、前記少なくとも１つの第１伝送搬送波周波数識別子に対応する少なくとも１つの第２識別子を更に有し、該第２識別子は、前記第１伝送搬送波周波数識別子に対応する伝送搬送波周波数が前記第１サービスタイプのサービスデータの伝送をサポートすることを示すために使用される、
基地局。
【請求項２０】
前記送信ユニットは、
システムブロードキャスト情報又はＲＲＣ専用シグナリングを使用することによって伝送搬送波周波数リスト情報を前記第１通信ノードへ送るよう更に構成され、
前記伝送搬送波周波数リスト情報は、少なくとも１つの第２伝送搬送波周波数識別子を有し、前記第１伝送搬送波周波数に対応する前記第１伝送搬送波周波数識別子は、前記伝送搬送波周波数リスト情報に含まれる前記第２伝送搬送波周波数識別子の少なくとも１つである、
請求項１９に記載の基地局。
【請求項２１】
コンピュータで実行される場合に、該コンピュータに、請求項１乃至８又は９乃至１０のうちいずれか一項に記載の方法を実行させるプログラム。
【請求項２２】
請求項２１に記載のプログラムが記録されているコンピュータ可読記憶媒体。
【請求項２３】
データ伝送装置であって、
１つ以上のプロセッサと、
前記１つ以上のプロセッサによって実行される場合に請求項１乃至８のうちいずれか一項に記載の方法を当該装置に実行させるコンピュータ命令を記憶する非一時的なメモリと
を有するデータ伝送装置。
【請求項２４】
設定情報送信装置であって、
１つ以上のプロセッサと、
前記１つ以上のプロセッサによって実行される場合に請求項９乃至１０のうちいずれか一項に記載の方法を当該装置に実行させるコンピュータ命令を記憶する非一時的なメモリと
を有する設定情報送信装置。
【発明の詳細な説明】
【技術分野】
【０００１】
本発明は、通信技術の分野に、特に、サービスデータ伝送方法、第１通信ノード、及び基地局に関係がある。
【背景技術】
【０００２】
インターネット・オブ・ビークルは、車両と他のデバイスとの間の（Vehicle-to-X，Ｖ２Ｘ）通信のためのネットワークである。Ｘはあらゆるデバイス、例えば、車両（Vehicle）、道ばたのインフラストラクチャ（Infrastructure）、歩行者（Pedestrian）、又はネットワーク（Network）を表す。インテリジェント輸送システム（Intelligent  Transportation  System，ＩＴＳ）は、車両間通信及び車両とインフラストラクチャとの間の通信などのインターネット・オブ・ビークル技術を含む。
【０００３】
現在、ＬＴＥには、２つのＶ２Ｘサービス伝送方法が含まれている。第１の方法は、基地局による転送を介した通信方法である。通信方法において、Ｖ２Ｘサービスは、１つの端末から基地局へ送信され、次いで基地局によって他の端末へ転送される。第２の方法は、端末間の直接接続を介した通信方法である。通信方法において、Ｖ２Ｘサービスは、基地局による転送を必要とせずに、２つの端末間で直接送信される。
【０００４】
サービス分類様式において、Ｖ２Ｘは、属性に基づき、安全性サービスと非安全性サービスとに分類される。安全性サービスは、個人の安全又は交通安全に関連したサービスを含み得る。非安全性サービスは、エンターテイメント又は地図ダウンロードに関連したサービスを含み得る。いくつかの地域のスペクトル利用規則に従って、安全性サービス及び非安全性サービスは、各々の特定のキャリア周波数で送信されなければならない。しかし、先行技術では、端末間の直接接続による通信方法に従って、ＬＴＥ通信ネットワークは、端末がＶ２Ｘサービスを送信するための複数の搬送波周波数を設定／事前設定し、Ｖ２Ｘサービスは、いずれかの設定／事前設定された伝送搬送波周波数で送信され得る。先行技術に従って、ＬＴＥ通信ネットワークの設定／事前設定に基づき、端末は、非安全性サービス搬送波周波数で安全性サービスを送信するか、あるいは、安全性サービス搬送波周波数で非安全性サービスを送信する。そのため、Ｖ２Ｘサービスの現在の伝送様式は、スペクトル利用規則を満足せず、相応して、Ｖ２Ｘサービス伝送は、スペクトル利用規則に従わない。
【発明の概要】
【０００５】
本発明の実施形態は、複数の設定又は事前設定された伝送搬送波周波数でのＶ２Ｘサービスの伝送によりＶ２Ｘサービスがスペクトル利用規則を満足しないという先行技術の問題を解決するために、第１サービスデータを送信する方法、第１通信ノード、及び基地局を提供する。
【０００６】
第１の態様に従って、本発明の実施形態は、サービスデータ伝送方法を提供する。当該方法は、第１通信ノードによって、第１サービスタイプの伝送搬送波周波数設定情報を取得し、第１サービスデータ及び第１識別子を取得し、前記第１サービスタイプの前記伝送搬送波周波数設定情報は、少なくとも１つの第１伝送搬送波周波数識別子を含み、前記第１識別子は、前記第１サービスデータが前記第１サービスタイプに属することを示すために使用される、ことと、更に、前記第１伝送搬送波周波数識別子及び前記第１識別子に基づき、前記第１サービスデータを送信するために使用される第１伝送搬送波周波数を決定することと、前記第１通信ノードによって、前記第１伝送搬送波周波数で前記第１サービスデータを送信することとを含む。
【０００７】
本願のこの実施形態において、前述の例によって、本発明のこの実施形態で提供されるサービスデータ伝送方法では、第１サービスタイプの伝送搬送波周波数設定情報は、少なくとも１つの第１伝送搬送波周波数識別子を含み、それにより、第１通信ノードは、取得された第１識別子及び第１伝送搬送波周波数識別子を使用することによって、第１サービスデータを送信するために使用される第１伝送搬送波周波数を決定することができる。任意の実施形態で、前記第１通信ノードによって、第１サービスデータ及び第１識別子を取得することは、前記第１通信ノードによって、上位レイヤによって送られる前記第１サービスデータ及び前記第１識別子を取得することを含む。
【０００８】
可能な設計において、前記第１サービスデータのサービスタイプが前記第１サービスタイプであると前記第１識別子に基づき決定される場合に、前記第１通信ノードによって、前記第１識別子及び前記第１伝送搬送波周波数識別子に基づき、前記第１サービスデータを送信するために使用される第１伝送搬送波周波数を決定することは、前記第１通信ノードによって、前記第１伝送搬送波周波数識別子に基づき、前記第１サービスデータを送信するために使用される前記第１伝送搬送波周波数を決定することを含む。
【０００９】
可能な設計において、前記第１サービスタイプの前記伝送搬送波周波数設定情報は、前記少なくとも１つの第１伝送搬送波周波数識別子に対応する少なくとも１つの第２識別子を更に含み、前記第１通信ノードは、前記第１識別子及び前記第１伝送搬送波周波数識別子に基づき、前記第１サービスデータを送信するために使用される第１伝送搬送波周波数を決定する。
【００１０】
可能な設計において、前記第１識別子が前記第２識別子である場合に、前記第１通信ノードは、前記第２識別子に対応する前記第１伝送搬送波周波数識別子に基づき、前記第１サービスデータを送信するために使用される前記第１伝送搬送波周波数を決定する。
【００１１】
可能な設計において、前記第１サービスタイプの前記伝送搬送波周波数設定情報は、閾値を更に含み、前記第１通信ノードは、前記第１識別子及び前記第１伝送搬送波周波数識別子に基づき、前記第１サービスデータを送信するために使用される第１伝送搬送波周波数を決定する。
【００１２】
可能な設計において、前記第１識別子が前記閾値以上である場合に、前記第１通信ノードは、前記第１伝送搬送波周波数識別子に基づき、前記第１サービスデータを送信するために使用される前記第１伝送搬送波周波数を決定し、あるいは、前記第１識別子が前記閾値よりも小さい場合に、前記第１通信ノードは、前記閾値に対応する前記第１伝送搬送波周波数識別子に基づき、前記第１サービスデータを送信するために使用される前記第１伝送搬送波周波数を決定する。
【００１３】
可能な設計において、前記第１識別子は、サービスタイプ識別子、あて先アドレス識別子、発信元アドレス識別子、優先度識別子、搬送波周波数指示識別子、及び／又はチャネル指示識別子のうちの少なくとも１つを含む。
【００１４】
可能な設計において、前記第１識別子は、前記サービスタイプ識別子、前記あて先アドレス識別子、前記発信元アドレス識別子、前記優先度識別子、前記搬送波周波数指示識別子、及び／又は前記チャネル指示識別子のうちの少なくとも１つが属するデータ構造の固定インジケータフィールドを使用することによって示される。
【００１５】
可能な設計において、前記第１サービスタイプの前記伝送搬送波周波数設定情報が少なくとも２つの第１伝送搬送波周波数識別子を含む場合に、前記第１通信ノードは、前記第１識別子及び前記第１伝送搬送波周波数識別子に基づき、前記第１サービスデータを送信するために使用される第１伝送搬送波周波数を決定する。
【００１６】
可能な設計において、前記第１通信ノードは、前記第１サービスデータを送信するために前記少なくとも２つの第１伝送搬送波周波数識別子のうちの１つに対応する伝送搬送波周波数をランダムに選択し、あるいは、前記第１通信ノードは、前記少なくとも２つの第１伝送搬送波周波数識別子に対応する伝送搬送波周波数のリソース負荷状態に基づき、前記第１サービスデータを送信するために前記少なくとも２つの第１伝送搬送波周波数識別子のうちの１つに対応する伝送搬送波周波数を選択する。
【００１７】
可能な設計において、前記第１通信ノードによって、前記第１識別子及び前記第１伝送搬送波周波数識別子に基づき、前記第１サービスデータを送信するために使用される第１伝送搬送波周波数を決定することの前に、当該方法は、前記第１通信ノードによって、基地局から、システムブロードキャスト情報又は無線リソース制御プロトコルＲＲＣ専用シグナリングを使用することによって前記基地局によって送られる伝送搬送波周波数リスト情報を受けることを更に含み、前記伝送搬送波周波数リスト情報は、少なくとも１つの第２伝送搬送波周波数識別子を含み、前記第１伝送搬送波周波数に対応する前記第１伝送搬送波周波数識別子は、前記伝送搬送波周波数リスト情報に含まれる前記第２伝送搬送波周波数識別子の１つである。
【００１８】
可能な設計において、第１通信ノードによって、第１サービスタイプの伝送搬送波周波数設定情報を取得することは、前記第１通信ノードによって、前記基地局のシステムブロードキャスト情報若しくは無線リソース制御プロトコルＲＲＣ専用制御シグナリング又はコアネットワーク制御ノードによって送られる制御情報を受信することによって前記第１サービスタイプの前記伝送搬送波周波数設定情報を取得すること、あるいは、前記第１通信ノードによって、前もって設定された又は前もって記憶された情報を使用することによって前記第１サービスタイプの前記伝送搬送波周波数設定情報を取得すること、あるいは、前記上位レイヤの設定情報を受信することによって前記第１サービスタイプの前記伝送搬送波周波数設定情報を取得することを含む。
【００１９】
可能な設計において、前記第１サービスタイプの前記第１サービスデータは、安全性関連サービス又は非安全性関連サービスである。
【００２０】
可能な設計において、前記第１通信ノードによって、前記第１伝送搬送波周波数で前記第１サービスデータを送信することは、前記第１サービスデータの、前記第１識別子によって示される前記サービスタイプが、前記第１サービスタイプでない場合に、前記第１通信ノードによって、前記第１伝送搬送波周波数で前記第１サービスデータを送信することをスキップすることを更に含む。
【００２１】
第２の態様に従って、本発明の実施形態は、サービスデータ伝送方法を提供する。当該方法は、第１サービスタイプの伝送搬送波周波数設定情報を第１通信ノードへ送ることを含み、前記第１サービスタイプの前記伝送搬送波周波数設定情報は、少なくとも１つの第１伝送搬送波周波数識別子を含み、該第１伝送搬送波周波数識別子は、前記第１通信ノードによって、該第１通信ノードによって取得される第１サービスデータ及び第１識別子と、前記第１伝送搬送波周波数識別子とに基づき、前記第１サービスデータを送信するために使用される第１伝送搬送波周波数を決定するために使用され、前記第１識別子は、前記第１サービスデータが前記第１サービスタイプに属することを示すために使用される。
【００２２】
可能な設計において、前述の例によって、本発明のこの実施形態で提供されるサービスデータ伝送方法では、第１サービスタイプの伝送搬送波周波数設定情報が送られ、第１サービスタイプの伝送搬送波周波数設定情報は少なくとも１つの第１伝送搬送波周波数識別子を含み、それにより、第１通信ノードは、取得された第１識別子及び第１伝送搬送波周波数識別子を使用することによって、第１サービスデータを送信するために使用される第１伝送搬送波周波数を決定することができる。
【００２３】
可能な設計において、前述の実施形態によって、本発明のこの実施形態で提供されるサービスデータ伝送方法では、第１サービスタイプの伝送搬送波周波数設定情報は少なくとも１つの第１伝送搬送波周波数識別子を含み、それにより、第１通信ノードは、取得された第１識別子と、第１伝送搬送波周波数識別子に対応する第２識別子とを使用することによって、第１サービスデータを送信するために使用される第１伝送搬送波周波数を決定することができる。
【００２４】
可能な設計において、前記第１サービスタイプの前記伝送搬送波周波数設定情報は、前記少なくとも１つの第１伝送搬送波周波数識別子に対応する少なくとも１つの第２識別子を更に含み、該第２識別子は、前記第１伝送搬送波周波数識別子に対応する伝送搬送波周波数が前記第１サービスタイプのサービスデータの伝送をサポートすることを示すために使用される。
【００２５】
可能な設計において、前記情報は閾値を更に含み、該閾値は、前記第１識別子が前記閾値以上である場合に、該閾値に対応する前記第１伝送搬送波周波数識別子に基づき、前記第１サービスデータを送信するために使用される前記第１伝送搬送波周波数を決定するよう前記第１通信ノードに指示するために使用される。
【００２６】
可能な設計において、当該方法は、システムブロードキャスト情報又はＲＲＣ専用シグナリングを使用することによって伝送搬送波周波数リスト情報を前記第１通信ノードへ送ることを更に含み、前記伝送搬送波周波数リスト情報は、少なくとも１つの第２伝送搬送波周波数識別子を含み、前記第１伝送搬送波周波数に対応する前記第１伝送搬送波周波数識別子は、前記伝送搬送波周波数リスト情報に含まれる前記第２伝送搬送波周波数識別子の１つである。
【００２７】
第３の態様に従って、本発明の実施形態は、第１通信ノードを提供する。当該第１通信ノードは、
第１サービスタイプの伝送搬送波周波数設定情報を取得するよう構成される取得ユニットであり、前記第１サービスタイプの前記伝送搬送波周波数設定情報は、少なくとも１つの第１伝送搬送波周波数識別子を含み、該第１伝送搬送波周波数識別子に対応する伝送搬送波周波数は、前記第１サービスタイプのサービスデータを送信するために使用され、
前記取得ユニットは、第１サービスデータ及び第１識別子を取得するよう更に構成され、前記第１識別子は、前記第１サービスデータが前記第１サービスタイプに属することを示すために使用される、前記取得ユニットと、
前記第１識別子及び前記第１伝送搬送波周波数識別子に基づき、前記第１サービスデータを送信するために使用される第１伝送搬送波周波数を決定するよう構成される決定ユニットと、
前記第１伝送搬送波周波数で前記第１サービスデータを送信するよう構成されるデータ送信ユニットと
を含む。
【００２８】
本願のこの実施形態において、前述の例によって、本発明のこの実施形態で提供される第１通信ノードに従って、第１通信ノードは、第１サービスタイプの、基地局によって送られるか又は前もって設定されるか若しくは前もって記憶される伝送搬送波周波数設定情報を取得し、第１サービスタイプの伝送搬送波周波数設定情報が第１伝送搬送波周波数識別子の少なくとも一部を含み、更には、第１サービスデータが第１サービスタイプに属することを示すために使用される第１識別子を使用することによって、第１サービスデータを送信するために使用される第１伝送搬送波周波数を決定することができる。
【００２９】
可能な設計において、前記取得ユニットは、アクセス層より上のプロトコルレイヤで送られる前記第１サービスデータ及び前記第１識別子を取得するよう構成される。
【００３０】
可能な設計において、前記第１サービスデータが前記第１サービスタイプに属すると前記第１識別子に基づき決定する場合に、前記決定ユニットは、前記第１伝送搬送波周波数識別子に基づき、前記第１サービスデータを送信するために使用される前記第１伝送搬送波周波数を決定するよう構成される。
【００３１】
可能な設計において、前記第１サービスタイプの前記伝送搬送波周波数設定情報は、前記少なくとも１つの第１伝送搬送波周波数識別子に対応する少なくとも１つの第２識別子を更に含み、前記決定ユニットは、前記第１識別子が前記第２識別子である場合に、前記第２識別子に対応する前記第１伝送搬送波周波数識別子に基づき、前記第１サービスデータを送信するために使用される前記第１伝送搬送波周波数を決定するよう構成される。
【００３２】
可能な設計において、前記第１サービスタイプの前記伝送搬送波周波数設定情報は、閾値を更に含み、前記第１識別子が前記閾値以上である場合に、前記決定ユニットは、前記第１伝送搬送波周波数識別子に基づき、前記第１サービスデータを送信するために使用される前記第１伝送搬送波周波数を決定するよう構成され、あるいは、前記第１識別子が前記閾値よりも小さい場合に、前記決定ユニットは、前記閾値に対応する前記第１伝送搬送波周波数識別子に基づき、前記第１サービスデータを送信するために使用される前記第１伝送搬送波周波数を決定するよう構成される。
【００３３】
可能な設計において、前記第１識別子は、サービスタイプ識別子、あて先アドレス識別子、発信元アドレス識別子、優先度識別子、搬送波周波数指示識別子、及びチャネル指示識別子のうちの少なくとも１つを含む。
【００３４】
可能な設計において、前記第１識別子は、前記サービスタイプ識別子、前記あて先アドレス識別子、前記発信元アドレス識別子、前記優先度識別子、前記搬送波周波数指示識別子、及び前記チャネル指示識別子のうちの少なくとも１つが属するデータ構造の固定インジケータフィールドを使用することによって示される。
【００３５】
可能な設計において、前記第１サービスタイプの前記伝送搬送波周波数設定情報が少なくとも２つの第１伝送搬送波周波数識別子を含む場合に、前記決定ユニットは、前記第１サービスデータを送信するために前記少なくとも２つの第１伝送搬送波周波数識別子のうちの１つに対応する伝送搬送波周波数をランダムに選択するよう、あるいは、前記少なくとも２つの第１伝送搬送波周波数識別子に対応する伝送搬送波周波数のリソース負荷状態に基づき、前記第１サービスデータを送信するために前記少なくとも２つの第１伝送搬送波周波数識別子のうちの１つに対応する伝送搬送波周波数を選択するよう構成される。
【００３６】
可能な設計において、前記第１通信ノードは、受信ユニットを更に含み、該受信ユニットは、基地局から、システムブロードキャスト情報又は無線リソース制御プロトコルＲＲＣ専用シグナリングを使用することによって前記基地局によって送られる伝送搬送波周波数リスト情報を受けるよう構成され、前記伝送搬送波周波数リスト情報は、少なくとも１つの第２伝送搬送波周波数識別子を含み、前記第１伝送搬送波周波数に対応する前記第１伝送搬送波周波数識別子は、前記伝送搬送波周波数リスト情報に含まれる前記第２伝送搬送波周波数識別子の１つである。
【００３７】
可能な設計において、前記取得ユニットは、前記基地局のシステムブロードキャスト情報若しくは無線リソース制御プロトコルＲＲＣ専用制御シグナリング又はコアネットワーク制御ノードによって送られる制御情報を受信することによって前記第１サービスタイプの前記伝送搬送波周波数設定情報を取得するよう、あるいは、前もって設定された又は前もって記憶された情報を使用することによって前記第１サービスタイプの前記伝送搬送波周波数設定情報を取得するよう、あるいは、前記アクセス層より上の前記プロトコルレイヤの設定情報を受信することによって前記第１サービスタイプの前記伝送搬送波周波数設定情報を取得するよう更に構成される。
【００３８】
可能な設計において、前記第１サービスデータは、安全性関連サービス又は非安全性関連サービスである。
【００３９】
可能な設計において、前記第１サービスデータの、前記第１識別子によって示されるサービスタイプが、前記第１サービスタイプでない場合に、前記データ送信ユニットは、前記第１伝送搬送波周波数で前記第１サービスデータを送信しない。
【００４０】
第４の態様に従って、本発明の実施形態は、基地局を提供する。当該基地局は、
第１サービスタイプの伝送搬送波周波数設定情報を第１通信ノードへ送るよう構成される送信ユニットを含み、
前記第１サービスタイプの前記伝送搬送波周波数設定情報は、少なくとも１つの第１伝送搬送波周波数識別子を含み、該第１伝送搬送波周波数識別子は、前記第１通信ノードによって、該第１通信ノードによって取得される第１サービスデータ及び第１識別子と、前記第１伝送搬送波周波数識別子とに基づき、前記第１サービスデータを送信するために使用される第１伝送搬送波周波数を決定するために使用され、前記第１識別子は、前記第１サービスデータが前記第１サービスタイプに属することを示すために使用される。
【００４１】
本願のこの実施形態において、前述の例によって、本発明のこの実施形態で提供される基地局に従って、基地局は、第１サービスタイプの伝送搬送波周波数設定情報を送信し、第１サービスタイプの伝送搬送波周波数設定情報が第１伝送搬送波周波数識別子の少なくとも一部を含み、更には、第１サービスデータが第１サービスタイプに属することを示すために使用される第１識別子を使用することによって、第１サービスデータを送信するために使用される第１伝送搬送波周波数を決定する。
【００４２】
可能な設計において、前記第１サービスタイプの前記伝送搬送波周波数設定情報は、前記少なくとも１つの第１伝送搬送波周波数識別子に対応する少なくとも１つの第２識別子を更に含み、該第２識別子は、前記第１伝送搬送波周波数識別子に対応する伝送搬送波周波数が前記第１サービスタイプのサービスデータの伝送をサポートすることを示すために使用される。
【００４３】
可能な設計において、前記第１サービスタイプの前記伝送搬送波周波数設定情報は、閾値を更に含み、該閾値は、前記第１識別子が前記閾値以上である場合に、該閾値に対応する前記第１伝送搬送波周波数識別子に基づき、前記第１サービスデータを送信するために使用される前記第１伝送搬送波周波数を決定するよう前記第１通信ノードに指示するために使用される。
【００４４】
可能な設計において、前記送信ユニットは、システムブロードキャスト情報又はＲＲＣ専用シグナリングを使用することによって伝送搬送波周波数リスト情報を前記第１通信ノードへ送るよう更に構成され、前記伝送搬送波周波数リスト情報は、少なくとも１つの第２伝送搬送波周波数識別子を含み、前記第１伝送搬送波周波数に対応する前記第１伝送搬送波周波数識別子は、前記伝送搬送波周波数リスト情報に含まれる前記第２伝送搬送波周波数識別子の１つである。
【００４５】
第５の態様に従って、本願の実施形態は、命令を含むコンピュータ可読記憶媒体を提供する。前記命令がコンピュータで実行される場合に、該コンピュータは、第１乃至第４の態様及び様々な可能な設計における方法を実行する。
【００４６】
本発明の実施形態で提供されるサービスデータ伝送方法、第１通信ノード、及び基地局に基づき、第１通信ノードが第１サービスデータを送信する必要がある場合に、第１通信ノードは、第１サービスタイプの伝送搬送波周波数設定情報に含まれる少なくとも１つの第１伝送搬送波周波数識別子と、第１サービスデータが第１サービスタイプに属することを示すために使用される第１識別子とに基づき、第１サービスデータを送信するために使用される第１伝送搬送波周波数を決定し、第１伝送搬送波周波数で第１サービスデータを送信する。このようにして、スペクトル利用規則は満足される。
【図面の簡単な説明】
【００４７】
【図１】本発明の実施形態に従う通信システムの略アーキテクチャ図である。
【図２】本発明の実施形態に従うサービスデータ伝送方法のフローチャートである。
【図３】本発明の実施形態に従う他のデータ伝送方法のフローチャートである。
【図４】本発明の実施形態に従う更なる他のデータ伝送方法のフローチャートである。
【図５】本発明の実施形態に従う更なる他のデータ伝送方法のフローチャートである。
【図６】本発明の実施形態に従う第１通信ノードのアーキテクチャ図である。
【図７】本発明の実施形態に従う他の第１通信ノードのアーキテクチャ図である。
【図８】本発明の実施形態に従うデータ伝送方法のフローチャートである。
【図９】本発明の実施形態に従う基地局のアーキテクチャ図である。
【図１０】本発明の実施形態に従う他の基地局のアーキテクチャ図である。
【発明を実施するための形態】
【００４８】
本発明の実施形態において、名詞「ネットワーク」及び「システム」はしばしば同義的に使用されるが、名詞の意味は当業者によって理解され得る。本発明の実施形態における基地局は、第１通信ノードのために無線通信機能を提供するよう無線アクセスネットワークに配置される。基地局は、無線リソース管理機能を備え、そして、第１通信ノードと通信するか、又は第１通信ノード間の直接通信を支援するよう中央制御部として働く。
【００４９】
本発明の実施形態で記載されるサービスデータ伝送方法は、複数の通信パーティ間のデータ伝送、例えば、第１通信ノードと基地局との間のデータ通信、及び第１通信ノード間のデータ通信に適用され得る。例えば、サービスデータ伝送方法は、インターネット・オブ・ビークル・システムに適用されてよい。その上、システム内のサービスデータ伝送中に、複数の通信手段が使用されてよい。例えば、ロング・ターム・エボリューション（Long  Term  Evolution，ＬＴＥ）技術が使用され、あるいは、他の無線アクセス技術が使用される。その上、５Ｇなどの、ＬＴＥのその後の進化した技術が、伝送などのために使用されてよい。
【００５０】
図１は、本発明の実施形態に従う通信システムの略アーキテクチャ図である。システムは、少なくとも１つの第１通信ノードと、基地局とを含む。少なくとも１つの第１通信ノードは、基地局への通信接続を確立してよく、あるいは、少なくとも１つの通信ノードの１つが、他の通信ノードへの通信接続を確立する。具体的に、本発明のこの実施形態において、第１通信ノードには、無線通信機能又は無線モデムへ接続された他の処理デバイスを備える様々な車載端末デバイス、モバイル端末デバイス、又は携帯型端末デバイスが含まれ得る。本発明のこの実施形態において、第１通信ノードには、車両、携帯機器、及び基地局デバイスと通信すること又は他の第１通信ノードと直接通信することができるデバイスが含まれ得るが、これらに限られない。
【００５１】
本願における基地局（Base  Station，ＢＳ）は、通信ノードのために無線通信機能を提供するよう無線アクセスネットワークに配置される装置である。基地局は、様々な形でマクロ基地局、ミクロ基地局、中継局、アクセス・ポイント、などを含んでよい。異なる無線アクセス技術を使用するシステムでは、基地局機能を備えるデバイスは異なる名称を有し得る。例えば、ＬＴＥネットワークでは、デバイスは進化型ノードＢ（evolved  NodeB，略してｅＮＢ又はｅＮｏｄｅＢ）と呼ばれ、第３世代（３Ｇ）ネットワークでは、デバイスはノードＢ（NodeB）などと呼ばれ、あるいは、Ｖ２Ｖ通信では、デバイスは路側機（Road  Side  Unit，ＲＳＵ）と呼ばれる。記載を簡単にするために、本願では、通信ノードのために無線通信機能を提供する上記の装置は、基地局又はＢＳと集合的に呼ばれる。
【００５２】
本願における通信ノードには、無線通信機能又は無線モデムへ接続された他の処理デバイスを備える様々な携帯機器、車載デバイス、装用型デバイス、又はコンピュータ装置が含まれてよく、通信ノードは、移動局（Mobile  Station，ＭＳ）、端末（terminal）、端末装置（Terminal  Equipment，ＴＥ）、ユーザ機器（User  Equipment，ＵＥ）、などを含め、様々な形をとる。記載を簡単にするために、本願では、上記のデバイスは、通信ノードと集合的に呼ばれる。
【００５３】
第１通信ノードは、最初に、第１サービスタイプの伝送搬送波周波数設定情報を取得する。第１通信ノードは、第１サービスタイプの、前もって設定／前もって記憶されるか、且つ／あるいは、アクセス層より上のプロトコルレイヤで並びに／又は基地局及び／若しくはコアネットワークによって送信される伝送搬送波周波数設定情報を少なくとも取得することができる。第１サービスタイプの伝送搬送波周波数設定情報は、少なくとも１つの第１伝送搬送波周波数識別子を含む。第１通信ノードは、第１識別子及び第１サービスデータを取得する。第１識別子は、第１サービスデータが第１サービスタイプに属することを示すために使用される。第１通信ノードは、第１識別子及び第１伝送搬送波周波数識別子に基づき、第１サービスデータを送信するために使用される第１伝送搬送波周波数を決定する。
【００５４】
本発明のこの実施形態で提供される通信システムにおいて、第１通信ノードは、第１サービスタイプの、前もって設定又は前もって記憶されるか、あるいは、基地局又はコアネットワークによって送信される伝送搬送波周波数設定情報を取得し、ここで、第１サービスタイプの伝送搬送波周波数設定情報が、第１伝送搬送波周波数識別子の少なくとも一部を含み、更には、第１サービスデータが第１サービスタイプに属することを示すために使用される第１識別子を使用することによって、第１サービスデータを送信するために使用される第１伝送搬送波周波数を決定することができる。
【００５５】
本発明の実施形態で提供される解決法は、図２を参照して詳細に後述される。図２は、本発明の実施形態に従うサービスデータ伝送方法のフローチャートである。本発明のこの実施形態で、方法は第１通信ノードによって実行される。図２に示されるように、この実施形態は、具体的に、次のステップを含む。
【００５６】
ステップ２１０：第１通信ノードは、第１サービスタイプの伝送搬送波周波数設定情報を取得し、ここで、第１サービスタイプの伝送搬送波周波数設定情報は、少なくとも１つの第１伝送搬送波周波数識別子を含み、第１伝送搬送波周波数識別子に対応する伝送搬送波周波数は、第１サービスタイプのサービスデータを送信するために使用される。伝送搬送波周波数設定情報は、複数の様式で取得され得、ほんの３つの様式が以下では列挙される。
【００５７】
任意の実施形態で、第１通信ノードは、図３に示されるように、基地局によって送られるシステムブロードキャスト情報若しくは無線リソース制御（Radio  Resource  Control，ＲＲＣ）専用制御シグナリング又はコアネットワーク制御ノードによって送られる制御情報を受信することによって、第１サービスタイプの伝送搬送波周波数設定情報を取得し得る。基地局によって送られた第１サービスタイプの伝送搬送波周波数設定情報を受信した後に、第１通信ノードは、ステップ２２０、ステップ２３０、及びステップ２４０を実行する。
【００５８】
任意の実施形態で、第１通信ノードは、第１通信ノードのメモリから第１サービスタイプの伝送搬送波周波数設定情報を取得し得る。第１通信ノードに記憶された第１サービスタイプの伝送搬送波周波数設定情報は、第１通信ノードによって前もって設定された情報であってよく、あるいは、基地局又はコアネットワーク制御ノードから第１通信ノードによって取得され、第１通信ノードによって記憶された第１サービスタイプの伝送搬送波周波数設定情報であってよい。
【００５９】
任意の実施形態で、第１通信ノードは、アクセス層より上のプロトコルレイヤの設定情報から第１サービスタイプの伝送搬送波周波数設定情報を取得し得る。
【００６０】
具体的に、アクセス層より上のプロトコルレイヤは、アクセス層より上のプロトコルレイヤであってよく、ネットワーク伝送レイヤ、アプリケーションレイヤ、又はネットワーク適合レイヤなどのプロトコル形式であってよく、あるいは、物理プロトコルレイヤ、媒体アクセス制御プロトコルレイヤ、無線リンク伝送プロトコルレイヤ、又はパケットデータ収束プロトコルレイヤより上のプロトコルレイヤであってよい。具体的な実施形態は、ここで制限されない。
【００６１】
第１サービスタイプの伝送搬送波周波数設定情報は、伝送搬送波周波数に対応する識別子を含み、識別子は、識別子に対応する伝送搬送波周波数と、送信されるサービスデータのサービスタイプとを示す。例えば、第１サービスタイプの伝送設定情報は、少なくとも１つの第１伝送搬送波周波数識別子を含み、第１伝送搬送波周波数識別子は、第１伝送搬送波周波数に対応する伝送搬送波周波数を示し、且つ、送信されるサービスデータのタイプが第１サービスタイプであることを示すために使用される。
【００６２】
任意に、第１サービスタイプは、必要条件に基づき分類を通じて得られるサービスタイプであってよい。例えば、安全性サービス及び非安全性サービスは、交通安全要件に基づき分類を通じて取得される。第１サービスタイプが安全性に関連したインターネット・オブ・ビークルのサービスであるとすれば、第１サービスタイプの伝送搬送波周波数設定情報は、サービスタイプが安全性に関連したインターネット・オブ・ビークルのサービスであることに基づき設定される。第１サービスタイプの伝送搬送波周波数設定情報は、少なくとも１つの第１伝送搬送波周波数識別子を含んでよく、第１伝送搬送波周波数識別子は、安全性に関連したインターネット・オブ・ビークルのサービスを送信するための伝送搬送波周波数に対応する。前述の記載は、非安全性サービスタイプである第１サービスタイプにも適用可能であり、第１サービスタイプは、非安全性関連インターネット・オブ・ビークル・サービスタイプであってよい。
【００６３】
任意に、第１伝送搬送波周波数識別子及び第１伝送搬送波周波数は対応を有する。例えば、第１伝送搬送波周波数識別子及び第１伝送搬送波周波数は、一対一又は多対一の対応にあってよい。第１通信ノードは、第１伝送搬送波周波数識別子と第１伝送搬送波周波数との間の対応に基づき、第１伝送搬送波周波数で第１サービスタイプのサービスデータを送信する。
【００６４】
任意に、第１伝送搬送波周波数識別子は、周波数指示又は周波数インデックス識別子であってよい。
【００６５】
ステップ２２０：第１通信ノードは、第１サービスデータ及び第１識別子を取得し、ここで、第１識別子は、第１サービスデータが第１サービスタイプに属することを示すために使用される。
【００６６】
任意の実施形態で、第１通信ノードが、アクセス層より上のプロトコルレイヤによってアクセス層へ供給される第１サービスデータを受信する場合に、第１サービスデータのサービスタイプを示すために使用される情報、すなわち、第１識別子も、アクセス層へ伝えられる。
【００６７】
具体的に、アクセス層より上のプロトコルレイヤは、例えば、ネットワーク伝送レイヤ、アプリケーションレイヤ、又はネットワーク適合レイヤなどのプロトコル形式であってよく、あるいは、物理プロトコルレイヤ、媒体アクセス制御プロトコルレイヤ、無線リンク伝送プロトコルレイヤ、又はパケットデータ収束プロトコルレイヤより上のプロトコルレイヤであってよい。具体的な実施形態は、ここで制限されない。
【００６８】
任意の実施形態で、第１識別子は、第１サービスデータのあて先アドレス識別子、発信元アドレス識別子、サービスタイプ識別子、優先度識別子、搬送波周波数指示識別子、及びチャネル指示識別子のうちの少なくとも１つを含んでよい。
【００６９】
任意の実施形態で、第１識別子は、第１サービスデータのあて先アドレス識別子、発信元アドレス識別子、サービスタイプ識別子、優先度識別子、搬送波周波数指示識別子、又はチャネル指示識別子であってよい。
【００７０】
例えば、第１識別子はサービスタイプ識別子であり、第１識別子は、第１サービスデータのタイプを示すために使用されてよく、第１サービスタイプは、安全性関連インターネット・オブ・ビークル・サービス及び非安全性関連インターネット・オブ・ビークル・サービスを含むが、これらに限られない。
【００７１】
第１識別子は搬送波周波数指示識別子であり、搬送波周波数指示識別子は、第１サービスデータの伝送搬送波周波数タイプを示すために使用されてよく、伝送搬送波周波数タイプは、有資格スペクトル、免許不要スペクトル、安全性伝送搬送波周波数、及び非安全性伝送搬送波周波数を含むが、これらに限られない。
【００７２】
優先度識別子は、第１サービスデータの優先度を示すために使用され、より高い優先度を有する第１サービスデータは、優先的に送信され得る。
【００７３】
任意に、優先度識別子は、代替的に、第１サービスデータのサービスタイプを示すために使用されてよい。例えば、優先度識別子１、２、３及び４を有する第１サービスデータは、安全性関連インターネット・オブ・ビークル・サービスに属し、他の優先度識別子を有する第１サービスデータは、非安全性関連インターネット・オブ・ビークル・サービスに属する。
【００７４】
第１識別子は、あて先アドレス識別子である。例えば、安全性関連インターネット・オブ・ビークル・サービスのあて先アドレス識別子は、第１の専用あて先アドレス識別子又は第１の専用あて先アドレス識別子セットに属し、非安全性関連インターネット・オブ・ビークル・サービスのあて先アドレス識別子は、第２の専用あて先アドレス識別子又は第２の専用あて先アドレス識別子セットに属する。
【００７５】
任意の実施形態で、第１識別子は、サービスタイプ識別子、あて先アドレス識別子、発信元アドレス識別子、優先度識別子、搬送波周波数指示識別子、及びチャネル指示識別子のうちの少なくとも１つが属するデータ構造の固定インジケータフィールドを使用することによって示されてよい。
【００７６】
任意の実施形態で、第１識別子は、サービスタイプ識別子、あて先アドレス識別子、発信元アドレス識別子、優先度識別子、搬送波周波数指示識別子、又はチャネル指示識別子が属するデータ構造の固定インジケータフィールドを使用することによって示されてよい。
【００７７】
例えば、あて先アドレス識別子が一例として使用され、あて先アドレス識別子は、２４ビットのフィールドを占有し、第１識別子は、２４ビットうちの１以上のビットを使用することによって示されてよい。
【００７８】
ステップ２３０：第１通信ノードは、第１識別子及び第１伝送搬送波周波数識別子に基づき、第１サービスデータを送信するために使用される第１伝送搬送波周波数を決定する。
【００７９】
任意の実施形態で、第１サービスタイプの伝送搬送波周波数設定情報は、閾値を更に含む。第１識別子が閾値以上である場合に、第１サービスデータを送信するために使用される第１伝送搬送波周波数は、閾値に対応する第１伝送搬送波周波数識別子に基づき決定される。代替的に、第１識別子が閾値よりも小さい場合に、第１サービスデータを送信するために使用される第１伝送搬送波周波数は、閾値に対応する第１伝送搬送波周波数識別子に基づき決定される。
【００８０】
任意の実施形態で、第１サービスデータのサービスタイプが第１サービスタイプであると第１識別子に基づき決定する場合に、第１通信ノードは、第１伝送搬送波周波数識別子に基づき、第１サービスデータを送信するために使用される第１伝送搬送波周波数を決定する。
【００８１】
具体的に、閾値は、第１サービスタイプの分類に基づき前もってセットされ得る。
【００８２】
例えば、サービスは４つのタイプに分類され、夫々のタイプは１つの識別子に対応し、４つの識別子は１、２、３及び４である。閾値は、次のようにセットされると考えられる。第１伝送搬送波周波数識別子は、第１伝送搬送波周波数１に対応する。識別子が閾値以上である場合に、識別子３を有するサービスタイプ及び識別子４を有するサービスタイプが第１伝送搬送波周波数１で送信され得る。識別子が閾値よりも小さい場合に、識別子１を有するサービスタイプ及び識別子２を有するサービスタイプが第１伝送搬送波周波数１で送信され得る。任意に、第１識別子の値は、ユーザ要求に基づき定量化され得る。
【００８３】
任意の実施形態で、ステップ２３０の前に、サービスデータ伝送方法はステップ２３１０を含む。第１通信ノードは、基地局から、システムブロードキャスト情報又はＲＲＣ専用シグナリングを使用することによって基地局によって送られる伝送搬送波周波数リスト情報を受信し、ここで、伝送搬送波周波数リスト情報は、少なくとも１つの第２伝送搬送波周波数識別子を含み、第１伝送搬送波周波数に対応する第１伝送搬送波周波数識別子は、伝送搬送波周波数リスト情報に含まれる第２伝送搬送波周波数識別子の１つである。
【００８４】
具体的に、ステップ２３０が実行される前に、例えば、ステップ２３１０がステップ２１０より前に実行され、あるいは、ステップ２１０及びステップ２３１０は同時に実行され、あるいは、ステップ２３１０はステップ２１０とステップ２２０との間で実行され、あるいは、ステップ２２０及びステップ２３１０は同時に実行される。ステップ２３１０並びにステップ２１０及び２２０を実行する順序は、実行結果に影響を及ぼさない。従って、ステップ２３１０を実行する順序は制限されない。
【００８５】
更に、第１通信ノードは、システムブロードキャスト情報又はＲＲＣ専用シグナリングを使用することによって基地局によって送られる伝送搬送波周波数リスト情報を受信する。伝送搬送波周波数リスト情報は、少なくとも１つの第２伝送搬送波周波数識別子を含む。第１伝送搬送波周波数に対応する第１伝送搬送波周波数識別子は、伝送搬送波周波数リスト情報に含まれる第２伝送搬送波周波数識別子の１つである。
【００８６】
任意の実施形態で、第１サービスタイプの伝送搬送波周波数設定情報は、少なくとも１つの第１伝送搬送波周波数識別子に対応する少なくとも１つの第２識別子を含み、第１識別子が第２識別子である場合に、第１通信ノードは、第２識別子に対応する第１伝送搬送波周波数識別子に基づき、第１サービスデータを送信するために使用される第１伝送搬送波周波数を決定する。
【００８７】
具体的に、第１識別子が、第１伝送搬送波周波数識別子に対応する第２識別子である場合に、第１サービスデータのサービスタイプは第１サービスタイプと同じであると決定され得る。更に、第１通信ノードは、第１伝送搬送波周波数識別子に基づき、第１サービスデータを送信するために使用される第１伝送搬送波周波数を決定する。
【００８８】
任意に、第１伝送搬送波周波数識別子と第２識別子との間の対応について、例えば、第１伝送搬送波周波数識別子と第２識別子との間の対応は、１つの第２識別子が複数の第１伝送搬送波周波数識別子に対応すること、又は１つの第２識別子が１つの第１伝送搬送波周波数識別子に対応すること、又は複数の第２識別子が１つの第１伝送搬送波周波数識別子に対応することであってよい。具体的な対応は、１つずつ列挙されない。
【００８９】
１つの第２識別子が１つの第１伝送搬送波周波数識別子に対応すると仮定して、第１通信ノードは、第２識別子に対応する第１伝送搬送波周波数識別子に基づき、第１サービスデータを送信するために使用される第１伝送搬送波周波数を決定する。
【００９０】
１つの第２識別子が複数の第１伝送搬送波周波数識別子に対応すると仮定して、第１通信ノードは、第２識別子に対応する第１伝送搬送波周波数識別子からある第１伝送搬送波周波数識別子を選択し、その伝送搬送波周波数識別子に対応する第１伝送搬送波周波数で第１サービスデータを送信する。
【００９１】
任意の実施形態で、第１サービスタイプの伝送搬送波周波数設定情報が１つの第１伝送搬送波周波数識別子を含む場合に、第１通信ノードは、第１識別子及び第１伝送搬送波周波数識別子に基づき、第１サービスデータを送信するために使用される第１伝送搬送波周波数が１つの伝送搬送波周波数を含むと決定し、そして、第１通信ノードは、その伝送搬送波周波数で第１サービスデータを送信する。
【００９２】
任意の実施形態で、第１サービスタイプの伝送搬送波周波数設定情報が少なくとも２つの第１伝送搬送波周波数識別子を含む場合に、第１通信ノードは、第１識別子及び第１伝送搬送波周波数識別子に基づき、第１サービスデータを送信するために使用される第１伝送搬送波周波数が少なくとも２つの伝送搬送波周波数を含むと決定し、第１サービスデータを送信するために少なくとも２つの伝送搬送波周波数から伝送搬送波周波数を選択する。
【００９３】
少なくとも２つの伝送搬送波周波数から伝送搬送波周波数を選択するほんの３つの方法が、以下で列挙される。
【００９４】
任意の実施形態で、第１通信ノードは、第１サービスデータを送信するための伝送搬送波周波数として、第１伝送搬送波周波数から搬送波周波数をランダムに選択してよい。
【００９５】
任意の実施形態で、第１通信ノードは、第１サービスデータを送信するための伝送搬送波周波数として、第１伝送搬送波周波数の負荷状態に基づき搬送波周波数を選択してよい。
【００９６】
任意の実施形態で、第１通信ノードは、第１サービスデータを送信するための伝送搬送波周波数として搬送波周波数を割り当てるよう基地局に要求してよい。
【００９７】
ステップ２４０：第１通信ノードは、第１伝送搬送波周波数で第１サービスデータを送信する。
【００９８】
任意に、第１通信ノードによって第１伝送搬送波周波数で第１サービスデータを送信する方法は、第１通信ノード間の直接接続を介した通信、及び基地局による転送を介した通信を含むが、これらに限られない。
【００９９】
その上、第１サービスデータの、第１識別子によって示されるサービスタイプが、第１サービスタイプでない場合に、第１サービスデータは、第１伝送搬送波周波数で送信されない。
【０１００】
異なる第１サービスデータが異なる伝送搬送波周波数に対応する場合に、独立した伝送メカニズムが、その異なる第１サービスデータに対してアクセス層で実行される必要がある。
【０１０１】
例えば、第１通信ノードは、アクセス層より上のプロトコルレイヤによって第１サービスデータパケット１とともにアクセス層へ伝えられる第１識別子１に基づき、第１サービスデータパケット１が伝送搬送波周波数１で送信される必要があると決定し、そして、第１通信ノードは、第１識別子２に基づき、第１サービスデータパケット２が伝送搬送波周波数２で送信される必要があると決定する。第１通信ノードは、第１サービスデータパケット１及び第１サービスデータパケット２を送信するために、第１サービスデータパケット１及び第１サービスデータパケット２のための伝送搬送波周波数１及び伝送搬送波周波数２での独立した伝送リソースを夫々取得する。
【０１０２】
任意の実施形態で、データ多重化がアクセス層で実行される場合に、同じ伝送搬送波周波数で送信される第１サービスデータは、同じ媒体アクセス制御（Media  Access  Control，ＭＡＣ）プロトコル・パケット・データ・ユニット（ＭＡＣ  ＰＤＵ）にカプセル化されてよい。しかし、異なる伝送搬送波周波数で送信される必要があるデータは、同じＭＡＣ  ＰＤＵにカプセル化され得ない。
【０１０３】
具体的に、データ多重化がアクセス層で実行される、具体的に言えば、異なる第１サービスデータが同じ伝送搬送波周波数で送信される場合に、第１サービスデータは同じＭＡＣ  ＰＤＵにカプセル化されてよく、それによって、第１サービスデータを送信する時間は短縮され、同じ伝送搬送波周波数での異なるタイプの第１サービスデータの送信は回避され、スペクトル利用規則は満足される。
【０１０４】
任意に、第１サービスデータをＭＡＣ  ＰＤＵにカプセル化するカプセル化原理は、Ｖ２Ｘ若しくはデバイス・ツー・デバイス（Device-to-Device，Ｄ２Ｄ）カプセル化メカニズム、又はセルラーネットワーク内の論理トークンバケットに基づくカプセル化メカニズムを含むが、これらに限られない。
【０１０５】
本願のこの実施形態において、前述の例によって、本発明のこの実施形態で提供されるサービスデータ伝送方法では、第１サービスタイプの伝送搬送波周波数設定情報は、少なくとも１つの第１伝送搬送波周波数識別子を含み、それにより、第１通信ノードは、取得された第１識別子及び第１伝送搬送波周波数識別子を使用することによって、第１サービスデータを送信するために使用される第１伝送搬送波周波数を決定することができる。
【０１０６】
本発明の実施形態で提供される解決法は、図４を参照して詳細に後述される。図４は、本発明の実施形態に従う更なる他のサービスデータ伝送方法のフローチャートである。本発明のこの実施形態で、方法は第１通信ノードによって実行される。図４に示されるように、この実施形態は、具体的に、次のステップを含む。
【０１０７】
ステップ４１０：第１通信ノードは、第１サービスタイプの伝送搬送波周波数設定情報を取得し、ここで、第１サービスタイプの伝送搬送波周波数設定情報は、少なくとも１つの第１伝送搬送波周波数識別子に対応する少なくとも１つの第２識別子を含む。第１伝送搬送波周波数識別子に対応する伝送搬送波周波数は、第１サービスタイプのサービスデータを送信するために使用される。
【０１０８】
このステップで第１通信ノードによって第１サービスタイプの伝送搬送波周波数設定情報を取得する様式についての説明は、図２のステップ２１０で第１通信ノードによって第１サービスタイプの伝送搬送波周波数設定情報を取得する様式についての説明と同じである。具体的な説明については、図２のステップ２１０における説明を参照されたい。簡潔な記載のために、詳細はここで再度記載されない。
【０１０９】
本願のこの実施形態において、第１サービスタイプの伝送搬送波周波数設定情報は、少なくとも１つの第１伝送搬送波周波数識別子に対応する少なくとも１つの第２識別子を含む。例えば、第１伝送搬送波周波数識別子と第２識別子との間の対応は、１つの第２識別子が１つの第１伝送搬送波周波数識別子に対応すること、又は複数の第１伝送搬送波周波数識別子が１つの第２識別子に対応すること、又は複数の第２識別子が１つの第１伝送搬送波周波数識別子に対応することであってよい。具体的な対応は、１つずつ列挙されない。
【０１１０】
ステップ４２０：第１通信ノードは、第１サービスデータ及び第１識別子を取得し、ここで、第１識別子は、第１サービスデータが第１サービスタイプに属することを示すために使用される。
【０１１１】
このステップで第１通信ノードによって第１サービスデータ及び第１識別子を取得する様式についての説明は、図２のステップ２２０で第１通信ノードによって第１サービスデータ及び第１識別子を取得する様式についての説明と同じである。具体的な説明については、図２のステップ２２０における説明を参照されたい。簡潔な記載のために、詳細はここで再度記載されない。
【０１１２】
任意の実施形態で、第１識別子は、第１サービスデータのあて先アドレス識別子、発信元アドレス識別子、サービスタイプ識別子、優先度識別子、搬送波周波数指示識別子、及びチャネル指示識別子のうちの少なくとも１つを含んでよい。
【０１１３】
任意の実施形態で、第１識別子は、第１サービスデータのあて先アドレス識別子、発信元アドレス識別子、サービスタイプ識別子、優先度識別子、搬送波周波数指示識別子、又はチャネル指示識別子であってよい。
【０１１４】
例えば、第１識別子はサービスタイプ識別子であり、第１識別子は、第１サービスデータのタイプを示すために使用されてよく、サービスタイプは、安全性関連インターネット・オブ・ビークル・サービス及び非安全性関連インターネット・オブ・ビークル・サービスを含むが、これらに限られない。
【０１１５】
第１識別子は搬送波周波数指示識別子であり、搬送波周波数指示識別子は、第１サービスデータの伝送搬送波周波数タイプを示すために使用されてよく、伝送搬送波周波数タイプは、有資格スペクトル、免許不要スペクトル、安全性伝送搬送波周波数、及び非安全性伝送搬送波周波数を含むが、これらに限られない。
【０１１６】
優先度識別子は、第１サービスデータの優先度を示すために使用され、より高い優先度を有する第１サービスデータは、優先的に送信され得る。
【０１１７】
任意に、優先度識別子は、代替的に、第１サービスデータのサービスタイプを示すために使用されてよい。例えば、優先度識別子１、２、３及び４を有する第１サービスデータは、安全性関連インターネット・オブ・ビークル・サービスに属し、他の優先度識別子を有する第１サービスデータは、非安全性関連インターネット・オブ・ビークル・サービスに属する。
【０１１８】
第１識別子は、あて先アドレス識別子である。例えば、安全性関連インターネット・オブ・ビークル・サービスのあて先アドレス識別子は、第１の専用あて先アドレス識別子又は第１の専用あて先アドレス識別子セットに属し、非安全性関連インターネット・オブ・ビークル・サービスのあて先アドレス識別子は、第２の専用あて先アドレス識別子又は第２の専用あて先アドレス識別子セットに属する。
【０１１９】
任意の実施形態で、第１識別子は、サービスタイプ識別子、あて先アドレス識別子、発信元アドレス識別子、優先度識別子、搬送波周波数指示識別子、及びチャネル指示識別子のうちの少なくとも１つが属するデータ構造の固定インジケータフィールドを使用することによって示されてよい。
【０１２０】
任意の実施形態で、第１識別子は、サービスタイプ識別子、あて先アドレス識別子、発信元アドレス識別子、優先度識別子、搬送波周波数指示識別子、又はチャネル指示識別子が属するデータ構造の固定インジケータフィールドを使用することによって示されてよい。
【０１２１】
例えば、あて先アドレス識別子が一例として使用され、あて先アドレス識別子は、２４ビットのフィールドを占有し、対応する第１サービスデータの第１識別子は、２４ビットうちの１以上のビットを使用することによって示されてよい。
【０１２２】
ステップ４３０：第１通信ノードは、第１識別子及び第２識別子に基づき、第１サービスデータを送信するために使用される第１伝送搬送波周波数を決定する。
【０１２３】
任意の実施形態で、第１識別子が第２識別子である場合に、第１通信ノードは、第２識別子に対応する第１伝送搬送波周波数識別子に基づき、第１サービスデータを送信するために使用される第１伝送搬送波周波数を決定する。
【０１２４】
ステップ４４０：第１通信ノードは、第１伝送搬送波周波数で第１サービスデータを送信する。
【０１２５】
このステップで第１通信ノードによって第１サービスデータを第１伝送搬送波周波数で送信する様式についての説明は、図２のステップ２４０で第１通信ノードによって第１サービスデータを第１伝送搬送波周波数で送信する様式についての説明と同じである。具体的な説明については、図２のステップ２４０における説明を参照されたい。簡潔な記載のために、詳細はここで再度記載されない。
【０１２６】
任意に、ステップ４３０の前に、サービスデータ伝送方法はステップ４３１０を含む。第１通信ノードは、基地局から、システムブロードキャスト情報又はＲＲＣ専用シグナリングを使用することによって基地局によって送られる伝送搬送波周波数リスト情報を受信し、ここで、伝送搬送波周波数リスト情報は、少なくとも１つの第２伝送搬送波周波数識別子を含み、第１伝送搬送波周波数に対応する第１伝送搬送波周波数識別子は、伝送搬送波周波数リスト情報に含まれる第２伝送搬送波周波数識別子の１つである。
【０１２７】
具体的に、ステップ４３０が実行される前に、例えば、ステップ４３１０がステップ４１０より前に実行され、あるいは、ステップ４１０及びステップ４３１０は同時に実行され、あるいは、ステップ４３１０はステップ４１０とステップ４２０との間で実行され、あるいは、ステップ４２０及びステップ４３１０は同時に実行される。ステップ４３１０並びにステップ４１０及び４２０を実行する順序は、実行結果に影響を及ぼさない。従って、ステップ４３１０を実行する順序は制限されない。
【０１２８】
更に、第１通信ノードは、システムブロードキャスト情報又はＲＲＣ専用シグナリングを使用することによって基地局によって送られる伝送搬送波周波数リスト情報を受信する。伝送搬送波周波数リスト情報は、少なくとも１つの第２伝送搬送波周波数識別子を含む。第１伝送搬送波周波数に対応する第１伝送搬送波周波数識別子は、伝送搬送波周波数リスト情報に含まれる第２伝送搬送波周波数識別子の１つである。
【０１２９】
この実施形態における方法では、第１通信ノードが第１サービスデータを取得する場合に、第１サービスデータは異なる伝送周波数に対応する。
【０１３０】
第１識別子は、第１サービスデータが第１サービスタイプに属することを示すために使用される。第１サービスデータのサービスタイプを決定した後、第１通信ノードは、第１サービスデータを、対応する第１伝送搬送波周波数で送信する。このようにして、第１通信ノードは、サービスタイプに基づき伝送搬送波周波数を選択し、それによって特定の地域のスペクトル利用規則を満足する。
【０１３１】
本願のこの実施形態において、前述の実施形態によって、本発明のこの実施形態で提供されるサービスデータ伝送方法では、第１サービスタイプの伝送搬送波周波数設定情報は、少なくとも１つの第１伝送搬送波周波数識別子を含み、それにより、第１通信ノードは、取得された第１識別子と、第１伝送搬送波周波数識別子に対応する第２識別子とを使用することによって、第１サービスデータを送信するために使用される第１伝送搬送波周波数を決定することができる。
【０１３２】
本発明の実施形態で提供される解決法は、図５を参照して詳細に後述される。図５は、本発明の実施形態に従う更なる他のサービスデータ伝送方法のフローチャートである。本発明のこの実施形態で、方法は第１通信ノードによって実行される。図５に示されるように、この実施形態は、具体的に、次のステップを含む。
【０１３３】
ステップ５１０：第１通信ノードは、第１サービスタイプの伝送搬送波周波数設定情報を取得し、ここで、第１サービスタイプの伝送搬送波周波数設定情報は、伝送搬送波周波数リスト情報を含み、伝送搬送波周波数リスト情報は、少なくとも１つの第２伝送搬送波周波数識別子を含む。
【０１３４】
このステップで第１通信ノードによって第１サービスタイプの伝送搬送波周波数設定情報を取得する様式についての説明は、図２のステップ２１０で第１通信ノードによって第１サービスタイプの伝送搬送波周波数設定情報を取得する様式についての説明と同じである。具体的な説明については、図２のステップ２１０における説明を参照されたい。簡潔な記載のために、詳細はここで再度記載されない。
【０１３５】
本願のこの実施形態において、第１サービスタイプの伝送搬送波周波数設定情報は、伝送搬送波周波数リスト情報を含み、伝送搬送波周波数リスト情報は、少なくとも１つの第２伝送搬送波周波数識別子を含む。
【０１３６】
任意の実施形態で、第１伝送搬送波周波数に対応する第１伝送搬送波周波数識別子は、伝送搬送波周波数リスト情報に含まれる第２伝送搬送波周波数識別子の１つである。
【０１３７】
ステップ５２０：第１通信ノードは、第１サービスデータ及び第１識別子を取得し、ここで、第１識別子は、第１サービスデータが第１サービスタイプに属することを示すために使用される。
【０１３８】
このステップで第１通信ノードによって第１サービスデータ及び第１識別子を取得する様式についての説明は、図２のステップ２２０で第１通信ノードによって第１サービスデータ及び第１識別子を取得する様式についての説明と同じである。具体的な説明については、図２のステップ２２０における説明を参照されたい。簡潔な記載のために、詳細はここで再度記載されない。
【０１３９】
任意の実施形態で、第１通信ノードが、アクセス層より上のプロトコルレイヤによってアクセス層へ供給される第１サービスデータを受信する場合に、第１サービスデータのサービスタイプを示すために使用される情報、すなわち、第１識別子も、アクセス層へ伝えられる。
【０１４０】
具体的に、アクセス層より上のプロトコルレイヤは、例えば、ネットワーク伝送レイヤ、アプリケーションレイヤ、又はネットワーク適合レイヤなどのプロトコル形式であってよく、あるいは、物理プロトコルレイヤ、媒体アクセス制御プロトコルレイヤ、無線リンク伝送プロトコルレイヤ、又はパケットデータ収束プロトコルレイヤより上のプロトコルレイヤであってよい。具体的な実施形態は、ここで制限されない。
【０１４１】
任意の実施形態で、第１識別子は、第１サービスデータのあて先アドレス識別子、発信元アドレス識別子、サービスタイプ識別子、優先度識別子、搬送波周波数指示識別子、及びチャネル指示識別子のうちの少なくとも１つを含んでよい。
【０１４２】
任意の実施形態で、第１識別子は、第１サービスデータのあて先アドレス識別子、発信元アドレス識別子、サービスタイプ識別子、優先度識別子、搬送波周波数指示識別子、又はチャネル指示識別子であってよい。
【０１４３】
例えば、第１識別子はサービスタイプ識別子であり、第１識別子は、第１サービスデータのタイプを示すために使用されてよく、第１サービスタイプは、安全性関連インターネット・オブ・ビークル・サービス及び非安全性関連インターネット・オブ・ビークル・サービスを含むが、これらに限られない。
【０１４４】
ステップ５３０：第１通信ノードは、第１識別子及び伝送搬送波周波数設定情報に基づき、第１サービスデータを送信するために使用される第１伝送搬送波周波数を決定する。
【０１４５】
任意の実施形態で、第１識別子が第２識別子である場合に、第１通信ノードは、第２識別子に対応する第１伝送搬送波周波数識別子に基づき、第１サービスデータを送信するために使用される第１伝送搬送波周波数を決定する。
【０１４６】
具体的に、第１識別子が第１伝送搬送波周波数識別子に対応する第２識別子である場合に、第１サービスデータのサービスタイプは第１サービスタイプと同じであると決定され得る。更に、第１通信ノードは、第１伝送搬送波周波数識別子に基づき、第１サービスタイプを送信するために使用される第１伝送搬送波周波数を決定する。
【０１４７】
ステップ５４０：第１通信ノードは、第１伝送搬送波周波数で第１サービスデータを送信する。
【０１４８】
このステップで第１通信ノードによって第１サービスデータを第１伝送搬送波周波数で送信する様式についての説明は、図２のステップ２４０で第１通信ノードによって第１サービスデータを第１伝送搬送波周波数で送信する様式についての説明と同じである。具体的な説明については、図２のステップ２４０における説明を参照されたい。簡潔な記載のために、詳細はここで再度記載されない。
【０１４９】
本願のこの実施形態において、前述の例によって、本発明のこの実施形態で提供されるサービスデータ伝送方法では、第１伝送搬送波周波数に対応する第１伝送搬送波周波数識別子は、伝送設定リスト情報内の識別子であり、それにより、第１通信ノードは、取得された第１識別子と、第２伝送搬送波周波数識別子とを使用することによって、第１サービスデータを送信するために使用される第１伝送搬送波周波数を決定することができる。
【０１５０】
前述の実施形態で記載される方法に従って、第１通信ノードは、第１サービスデータを送信するために使用される第１伝送搬送波周波数を決定することができる。相応して、本発明の実施形態は、前述の実施形態で提供されるサービスデータ伝送方法を実装するよう、第１通信ノードを提供する。図６に示されるように、第１通信ノードは、取得ユニット６１０、決定ユニット６２０、及びデータ送信ユニット６３０を含む。
【０１５１】
取得ユニット６１０は、第１サービスタイプの伝送搬送波周波数設定情報を取得するよう構成される。第１サービスタイプの伝送搬送波周波数設定情報は、少なくとも１つの第１伝送搬送波周波数識別子を含み、第１伝送搬送波周波数識別子に対応する伝送搬送波周波数は、第１サービスタイプのサービスデータを送信するために使用される。
【０１５２】
取得ユニット６１０は更に、第１サービスデータ及び第１識別子を取得するよう構成される。第１識別子は、第１サービスデータが第１サービスタイプに属することを示すために使用される。
【０１５３】
決定ユニット６２０は、第１識別子及び第１伝送搬送波周波数識別子に基づき、第１サービスデータを送信するために使用される第１伝送搬送波周波数を決定するよう構成される。
【０１５４】
データ送信ユニット６３０は、第１伝送搬送波周波数で第１サービスデータを送信するよう構成される。
【０１５５】
本願のこの実施形態において、前述の例によって、本発明のこの実施形態で提供される第１通信ノードに従って、第１通信ノードは、第１サービスタイプの情報であって、前もって設定又は前もって記憶されるか、あるいは、基地局によって送信される伝送搬送波周波数設定情報を取得し、ここで、第１サービスタイプの伝送搬送波周波数設定情報が第１伝送搬送波周波数識別子の少なくとも一部を含み、更には、第１サービスデータが第１サービスタイプに属することを示すために使用される第１識別子を使用することによって、第１サービスデータを送信するために使用される第１伝送搬送波周波数を決定することができる。
【０１５６】
任意に、取得ユニット６１０は更に、アクセス層より上のプロトコルレイヤで送信される第１サービスデータ及び第１識別子を取得するよう構成される。
【０１５７】
任意に、第１サービスデータが第１サービスタイプに属すると第１識別子に基づき決定する場合に、決定ユニット６２０は、第１伝送搬送波周波数識別子に基づき、第１サービスデータを送信するために使用される第１伝送搬送波周波数を決定するよう構成される。
【０１５８】
任意に、第１サービスタイプの伝送搬送波周波数設定情報は、少なくとも１つの第１伝送搬送波周波数識別子に対応する少なくとも１つの第２識別子を更に含み、
具体的に、決定ユニット６２０は、第１識別子が第２識別子である場合に、第２識別子に対応する第１伝送搬送波周波数識別子に基づき、第１サービスデータを送信するために使用される第１伝送搬送波周波数を決定するよう構成される。
【０１５９】
任意に、第１サービスタイプの伝送搬送波周波数設定情報は閾値を更に含み、第１識別子が閾値以上である場合に、決定ユニット６２０は、第１伝送搬送波周波数識別子に基づき、第１サービスデータを送信するために使用される第１伝送搬送波周波数を決定するよう構成され、あるいは、第１識別子が閾値よりも小さい場合に、決定ユニット６２０は、閾値に対応する第１伝送搬送波周波数識別子に基づき、第１サービスデータを送信するために使用される第１伝送搬送波周波数を決定するよう構成される。
【０１６０】
任意に、第１識別子は、サービスタイプ識別子、あて先アドレス識別子、発信元アドレス識別子、優先度識別子、搬送波周波数指示識別子、及びチャネル指示識別子のうちの少なくとも１つを含む。
【０１６１】
任意に、第１識別子は、サービスタイプ識別子、あて先アドレス識別子、発信元アドレス識別子、優先度識別子、搬送波周波数指示識別子、及びチャネル指示識別子のうちの少なくとも１つが属するデータ構造の固定インジケータフィールドを使用することによって示される。
【０１６２】
任意に、第１サービスタイプの伝送搬送波周波数設定情報が少なくとも２つの第１伝送搬送波周波数識別子を含む場合に、決定ユニット６２０は、第１サービスデータを送信するために少なくとも２つの第１伝送搬送波周波数識別子のうちの１つに対応する伝送搬送波周波数をランダムに選択するよう、あるいは、少なくとも２つの第１伝送搬送波周波数識別子に対応する伝送搬送波周波数のリソース負荷状態に基づき、第１サービスデータを送信するために少なくとも２つの第１伝送搬送波周波数識別子のうちの１つに対応する伝送搬送波周波数を選択するよう構成される。
【０１６３】
任意に、第１通信ノードは受信ユニットを更に含み、受信ユニットは、基地局から、システムブロードキャスト情報又は無線リソース制御プロトコルＲＲＣ専用シグナリングを使用することによって基地局によって送信される伝送搬送波周波数リスト情報を受信するよう構成され、伝送搬送波周波数リスト情報は、少なくとも１つの第２伝送搬送波周波数識別子を含み、第１伝送搬送波周波数に対応する第１伝送搬送波周波数識別子は、伝送搬送波周波数リスト情報に含まれる第２伝送搬送波周波数識別子の１つである。
【０１６４】
任意に、取得ユニット６１０は更に、基地局のシステムブロードキャスト情報若しくは無線リソース制御プロトコルＲＲＣ専用制御シグナリング又はコアネットワーク制御ノードによって送られる制御情報を受信することによって第１サービスタイプの伝送搬送波周波数設定情報を取得するよう、あるいは、前もって設定された又は前もって記憶された情報を使用することによって第１サービスタイプの伝送搬送波周波数設定情報を取得するよう、あるいは、アクセス層より上のプロトコルレイヤの設定情報を受信することによって第１サービスタイプの伝送搬送波周波数設定情報を取得するよう構成される。
【０１６５】
任意に、第１サービスデータは、安全性関連サービス又は非安全性関連サービスである。
【０１６６】
任意に、第１サービスデータの、第１識別子によって示されるサービスタイプが、第１サービスタイプでない場合に、データ送信ユニット６３０は、第１伝送搬送波周波数で第１サービスデータを送信しない。
【０１６７】
その上、本発明のこの実施形態で提供される第１通信ノードは、代替的に、本発明の前述の実施形態で提供される通信方法を実装するよう、次のように実施されてもよい。図７に示されるように、第１通信ノードは、受信器７１０、プロセッサ７２０、メモリ７３０、及び送信器７４０を含む。
【０１６８】
任意の実施形態で、図６の前述の実施形態における取得ユニット６１０は、受信器７１０又はメモリ７３０により置換され得る。具体的に、第１サービスタイプの伝送搬送波周波数設定情報は、メモリ７３０内の前もって設定された情報、又は基地局若しくはコアネットワークノードから受信器７１０によって受信される情報であり、ここで、第１サービスタイプの伝送搬送波周波数設定情報は、少なくとも１つの第１伝送搬送波周波数識別子を含む。取得ユニット６１０は、受信器７１０により置換され得る。具体的に、第１サービスデータ及び第１識別子は受信器７１０によって受信され得、ここで、第１識別子は、第１サービスデータが第１サービスタイプに属することを示すために使用される。
【０１６９】
決定ユニット６２０は、プロセッサ７２０により置換され得る。データ送信ユニット６３０は、受信器７１０又は送信器７４０により置換され得る。
【０１７０】
図７の各ユニットの処理プロセスについては、図２乃至図５に示される前述の具体的な実施形態を参照されたい。詳細は、ここで再度記載されない。
【０１７１】
本発明の実施形態で提供される解決法は、図８を参照して後述される。図８は、本発明の実施形態に従うサービスデータ伝送方法のフローチャートである。本発明のこの実施形態では、方法は基地局によって実行される。図８に示されるように、この実施形態は、具体的に、次のステップを含む。
【０１７２】
ステップ８１０：基地局は、第１サービスタイプの伝送搬送波周波数設定情報を第１通信ノードへ送信し、ここで、第１サービスタイプの伝送搬送波周波数設定情報は、少なくとも１つの第１伝送搬送波周波数識別子を含み、第１伝送搬送波周波数識別子は、第１通信ノードによって、第１通信ノードによって取得される第１サービスデータ及び第１識別子と、第１伝送搬送波周波数識別子とに基づき、第１サービスデータを送信するために使用される第１伝送搬送波周波数を決定するために使用され、第１識別子は、第１サービスデータが第１サービスタイプに属することを示すために使用される。
【０１７３】
任意の実施形態で、第１サービスタイプの伝送搬送波周波数設定情報は、少なくとも１つの第１伝送搬送波周波数識別子に対応する少なくとも１つの第２識別子を更に含み、第２識別子は、第１伝送搬送波周波数識別子に対応する伝送搬送波周波数が第１サービスタイプのサービスデータの伝送をサポートすることを示すために使用される。
【０１７４】
任意の実施形態で、第１サービスタイプの伝送搬送波周波数設定情報は閾値を更に含み、閾値は、第１識別子が閾値以上である場合に、閾値に対応する第１伝送搬送波周波数識別子に基づき、第１サービスデータを送信するために使用される第１伝送搬送波周波数を決定するよう第１通信ノードに指示するために使用される。
【０１７５】
任意の実施形態で、基地局は、システムブロードキャスト情報又はＲＲＣ専用シグナリングを使用することによって、伝送搬送波周波数リスト情報を第１通信ノードへ送る。伝送搬送波周波数リスト情報は、少なくとも１つの第２伝送搬送波周波数識別子を含み、第１伝送搬送波周波数に対応する第１伝送搬送波周波数識別子は、伝送搬送波周波数リスト情報に含まれる第２伝送搬送波周波数識別子の１つである。
【０１７６】
本願のこの実施形態において、前述の例によって、本発明のこの実施形態で提供されるサービスデータ伝送方法では、第１サービスタイプの伝送搬送波周波数設定情報が送信され、第１サービスタイプの伝送搬送波周波数設定情報は少なくとも１つの第１伝送搬送波周波数識別子を含み、それにより、第１通信ノードは、取得された第１識別子及び第１伝送搬送波周波数識別子を使用することによって、第１サービスデータを送信するために使用される第１伝送搬送波周波数を決定することができる。
【０１７７】
相応して、本発明の実施形態は、前述の実施形態で提供されるサービスデータ伝送方法を実装するよう、基地局を提供する。図９に示されるように、基地局は、送信ユニット９１０を含む。
【０１７８】
送信ユニット９１０は、第１サービスタイプの伝送搬送波周波数設定情報を第１通信ノードへ送信するよう構成される。第１サービスタイプの伝送搬送波周波数設定情報は、少なくとも１つの第１伝送搬送波周波数識別子を含み、第１伝送搬送波周波数識別子は、第１通信ノードによって、第１通信ノードによって取得される第１サービスデータ及び第１識別子と、第１伝送搬送波周波数識別子とに基づき、第１サービスデータを送信するために使用される第１伝送搬送波周波数を決定するために使用され、第１識別子は、第１サービスデータが第１サービスタイプに属することを示すために使用される。
【０１７９】
本願のこの実施形態において、前述の例によって、本発明のこの実施形態で提供される基地局に従って、基地局は、第１サービスタイプの伝送搬送波周波数設定情報を送信し、ここで、第１サービスタイプの伝送搬送波周波数設定情報が第１伝送搬送波周波数識別子の少なくとも一部を含み、更には、第１サービスデータが第１サービスタイプに属することを示すために使用される第１識別子を使用することによって、第１サービスデータを送信するために使用される第１伝送搬送波周波数を決定する。
【０１８０】
任意に、第１サービスタイプの伝送搬送波周波数設定情報は、少なくとも１つの第１伝送搬送波周波数識別子に対応する少なくとも１つの第２識別子を更に含み、第２識別子は、第１伝送搬送波周波数識別子に対応する伝送搬送波周波数が第１サービスタイプのサービスデータの伝送をサポートすることを示すために使用される。
【０１８１】
任意に、第１サービスタイプの伝送搬送波周波数設定情報は閾値を更に含み、閾値は、第１識別子が閾値以上である場合に、閾値に対応する第１伝送搬送波周波数識別子に基づき、第１サービスデータを送信するために使用される第１伝送搬送波周波数を決定するよう第１通信ノードに指示するために使用される。
【０１８２】
任意に、送信ユニット９１０は更に、システムブロードキャスト情報又はＲＲＣ専用シグナリングを使用することによって、伝送搬送波周波数リスト情報を第１通信ノードへ送信するよう構成される。伝送搬送波周波数リスト情報は、少なくとも１つの第２伝送搬送波周波数識別子を含み、第１伝送搬送波周波数に対応する第１伝送搬送波周波数識別子は、伝送搬送波周波数リスト情報に含まれる第２伝送搬送波周波数識別子の１つである。
【０１８３】
その上、本発明のこの実施形態で提供される基地局は、代替的に、本発明の前述の実施形態で提供される通信方法を実装するよう、次のように実施されてもよい。図１０に示されるように、基地局は、送信器１０１０を含む。
【０１８４】
任意の実施形態で、図９の前述の実施形態における送信ユニット９１０は、送信器１０１０により置換され得る。具体的に、送信器１０１０は、第１サービスタイプの伝送搬送波周波数設定情報を第１通信ノードへ送信するよう構成される。第１サービスタイプの伝送搬送波周波数設定情報は、少なくとも１つの第１伝送搬送波周波数識別子を含む。
【０１８５】
図９の各ユニットの処理プロセスについては、図２乃至図５に示される前述の具体的な実施形態を参照されたい。詳細は、ここで再度記載されない。
【０１８６】
本発明の実施形態で提供されるサービスデータ伝送方法、第１通信ノード、及び基地局に従って、第１通信ノードが第１サービスデータを送信する必要がある場合に、第１通信ノードは、第１サービスタイプの伝送搬送波周波数設定情報に含まれる少なくとも１つの第１伝送搬送波周波数識別子と、第１サービスデータが第１サービスタイプに属することを示すために使用される第１識別子とに基づき、第１サービスデータを送信するために使用される第１伝送搬送波周波数を決定し、第１伝送搬送波周波数で第１サービスデータを送信する。このようにして、スペクトル利用規則は満足される。
【０１８７】
当業者は、本明細書中で開示される実施形態で記載される例のユニット及びアルゴリズムステップを参照して、本願が電子ハードウェア、コンピュータソフトウェア、又はそれらの組み合わせによって実装されてよいと更に気付き得る。ハードウェアとソフトウェアとの間の互換性を明りょうに記載するよう、上記は、機能に基づき各例の構成及びステップを概して記載してきた。機能がハードウェア又はソフトウェアによって実行されるかどうかは、技術的解決法の設計制約条件及び特定の用途に依存する。当業者、夫々の特定の用途について、記載される機能を実装するために異なる方法を使用してよいが、実施が本発明の適用範囲を超えることは、考えられるべきではない。
【０１８８】
本明細書中で開示される実施形態で記載される方法又はアルゴリズムのステップは、ハードウェア、プロセッサによって実行されるソフトウェア・モジュール、又はそれらの組み合わせによって実装されてよい。ソフトウェア・モジュールは、ランダム・アクセス・メモリ（ＲＡＭ）、メモリ、リード・オンリー・メモリ（ＲＯＭ）、電気的プログラム可能ＲＯＭ、電気消去可能なプログラム可能ＲＯＭ、レジスタ、ハード・ディスク、リムーバブル・ディスク、ＣＤ−ＲＯＭ、又は当該技術で知られているあらゆる他の形態の記憶媒体に属してよい。
【０１８９】
上記の説明は、本発明の具体的な実施の例にすぎず、本発明の保護範囲を制限する意図はない。本発明において開示されている技術範囲内で当業者によって容易に考え出される如何なる変形又は置換も、本発明の保護範囲内にあるものとする。従って、本発明の保護範囲は、特許請求の範囲の保護範囲に従うものとする。
【図１】
0006985415.tif 000002
【図２】
0006985415.tif 000003
【図３】
0006985415.tif 000004
【図４】
0006985415.tif 000005
【図５】
0006985415.tif 000006
【図６】
0006985415.tif 000007
【図７】
0006985415.tif 000008
【図８】
0006985415.tif 000009
【図９】
0006985415.tif 000010
【図１０】
0006985415.tif 000011